(57)【要約】【課題】従来の組立式バッグでは、パーツの裏面を使用していないという点と、相互取付部が見えて見栄えが悪いという点とにある。【解決手段】パーツ２、３、４、５、６が表裏両面９、１０、１１、１２、１３、１４、１５、１６、１７を使用できる。この結果、パーツの表面のみを使用する従来の組立式バッグと比較して、パーツの変化の多様化を図ることができる。また、パーツ２７、２８の裏面に裏地３１、３２を設け、スライドファスナ１９特にスライダ２０が裏地３１、３２に隠れている。この結果、見栄えが向上される。しかも、パーツ２７、２８の裏面に裏地３１、３２を設けることにより、さらに見栄えが向上される。【選択図】        図１
2006314773.tif 000002
【特許請求の範囲】
【請求項１】
複数のパーツを取付部材により組み立ててバッグを構成する組立式バッグにおいて、
前記バッグの本体部および取手を構成する少なくとも２つの前記パーツと、
前記パーツを相互に着脱可能に取り付ける前記取付部材と、
を備え、
前記バッグの本体部を構成する少なくとも２つの前記パーツは、前記取付部材により表裏両面が使用可能に取り付けられている、
ことを特徴とする組立式バッグ。
【請求項２】
前記バッグの本体部と取手とを相互に着脱可能に取り付ける前記取付部材は、鉤部と、前記鉤具が着脱可能に引っ掛かる引っ掛かり部と、嵌合凸部と嵌合凹部とが着脱可能に嵌合する嵌合止め具と、から構成されており、前記鉤具が前記引っ掛かり部に引っ掛かる方向と、前記嵌合止め具の前記嵌合凸部と前記嵌合凹部との嵌合方向とは、交差する、ことを特徴とする請求項１に記載の組立式バッグ。
【請求項３】
形状の異なるパーツを備え、前記形状の異なるパーツを入れ替えることにより、組み立てられた前記バッグの形状が異なる、ことを特徴とする請求項１または２に記載の組立式バッグ。
【発明の詳細な説明】
【技術分野】
【０００１】
この発明は、複数のパーツを取付部材により組み立ててバッグを構成する組立式バッグに関するものである。
【背景技術】
【０００２】
この種の組立式バッグは、従来からある（たとえば、特許文献１、特許文献２）。以下、従来の組立式バッグについて説明する。前者の組立式バッグは、フレーム部、前面板部、後面板部、上面板部、下面板部、蓋部、襠部、取手、ショルダーベルト、飾り金具などのパーツと、相互取付部とから構成されているものである。前者の組立式バッグは、フレーム部に前面板部、後面板部、上面板部、下面板部、蓋部、襠部、取手、ショルダーベルト、飾り金具などのパーツを相互取付部により組み立ててバッグを構成するものである。後者の組立式バッグは、バッグ本体と、このバッグ本体の表面に取り付けられる面部材と、バッグ本体と面部材とを脱着可能に連結する脱着手段と、を有するものである。後者の組立式バッグは、バッグ本体に面部材を脱着手段を介して裏返して取り付けるものである。
【０００３】
ところが、従来の前者の組立式バッグは、フレーム部、前面板部、後面板部、上面板部、下面板部、蓋部、襠部、取手、ショルダーベルト、飾り金具などのパーツの表面を使用して裏面を使用していないという課題がある。また、従来の後者の組立式バッグは、面部材を裏返して使用することができるが、バッグ本体を裏返して使用することができないという課題がある。
【０００４】
【特許文献１】特開２００２−２７２５２４号公報
【特許文献２】特開２００４−６５６２４号公報
【発明の開示】
【発明が解決しようとする課題】
【０００５】
この発明が解決しようとする問題点は、従来の組立式バッグでは、パーツの裏面を使用していないという点と、バッグ本体を裏返して使用（すなわち、リバーシブルに使用）することができないという点と、にある。
【課題を解決するための手段】
【０００６】
この発明（請求項１にかかる発明）は、バッグの本体部および取手を構成する少なくとも２つのパーツと、そのパーツを相互に着脱可能に取り付ける取付部材と、を備え、バッグの本体部を構成する少なくとも２つのパーツが、取付部材により表裏両面が使用可能（リバーシブル）に取り付けられている、ことを特徴とする。
【０００７】
また、この発明（請求項２にかかる発明）は、バッグの本体部と取手とを相互に着脱可能に取り付ける取付部材が、鉤部と、その鉤具が着脱可能に引っ掛かる引っ掛かり部と、嵌合凸部と嵌合凹部とが着脱可能に嵌合する嵌合止め具と、から構成されており、鉤具が引っ掛かり部に引っ掛かる方向と、嵌合止め具の嵌合凸部と嵌合凹部との嵌合方向とが、交差する、ことを特徴とする。
【０００８】
さらにまた、この発明（請求項３にかかる発明）は、形状の異なるパーツを備える、ことを特徴とする。
【発明の効果】
【０００９】
この発明（請求項１にかかる発明）の組立式バッグは、バッグの本体部を構成する少なくとも２つのパーツが取付部材によりリバーシブル（表裏両面が使用可能）に取り付けられている。このために、この発明（請求項１にかかる発明）の組立式バッグは、パーツの表面のみを使用する従来の前者の組立式バッグ、および、面部材のみ裏返して使用することができる従来の後者の組立式バッグと比較して、パーツの変化の多様化を図ることができる。
【００１０】
また、この発明（請求項２にかかる発明）の組立式バッグは、バッグの本体部と取手とを相互に着脱可能に取り付ける取付部材が、鉤部と、引っ掛かり部と、嵌合凸部および嵌合凹部の嵌合止め具と、から構成されているので、鉤具を引っ掛かり部に着脱可能に引っ掛け、かつ、嵌合止め具の嵌合凸部と嵌合凹部とを嵌合させることにより、バッグの本体部と取手とを簡単に着脱可能に取り付けることができる。しかも、この発明（請求項２にかかる発明）の組立式バッグは、取付部材において、鉤具が引っ掛かり部に引っ掛かる方向と、嵌合止め具の嵌合凸部と嵌合凹部との嵌合方向とが、交差するので、取付部材により取り付けたバッグの本体部と取手とが簡単に外れるようなことが無く、バッグの本体部と取手とを確実に取り付けることができる。
【００１１】
さらに、この発明（請求項３にかかる発明）の組立式バッグは、形状の異なるパーツを入れ替えることにより、組み立てられたバッグの形状が異なる。この結果、この発明（請求項３にかかる発明）の組立式バッグは、さらに、変化の多様化を図ることができる。すなわち、２パターン以上の色のコンビネーションや形状のコンビネーションや素材のコンビネーションを楽しむことができる。
【発明を実施するための最良の形態】
【００１２】
以下に、この発明にかかる組立式バッグの実施例のうちの１１例を図面に基づいて詳細に説明する。なお、この実施例によりこの発明が限定されるものではない。
【実施例１】
【００１３】
図１〜図６は、この発明にかかる組立式バッグの実施例１を示す。以下、実施例１にかかる組立式バッグの構成について説明する。
【００１４】
図において、符号１は、この実施例１にかかる組立式バッグである。前記組立式バッグ１は、図１に示すように、バッグの本体部および取手を構成する５つのパーツ、すなわち、バッグ本体の第１パーツ２と、左側襠の第２パーツ３、４と、右側襠の第３パーツ５、６と、２つの取手の第４パーツ７および第５パーツ８と、から構成されている。前記第１パーツ２は、長方形もしくは正方形をなす。一方の前記第２パーツ３および前記第３パーツ５は、ほぼ半長円形をなす。他方の前記第２パーツ４および前記第３パーツ６は、ほぼ半円形をなす。前記第４パーツ７および前記第５パーツ８は、ほぼＵ字形状をなす。前記第１パーツ２および前記第２パーツ３、４および前記第３パーツ５、６は、バッグの本体部を構成する。また、前記第４パーツ７および前記第５パーツ８は、取手を構成する。
【００１５】
前記パーツ２〜８は、バッグの素材となり得る部材、たとえば、天然皮革、合成皮革、転写プリント素材、生地、フェルト、麻などの天然繊維、合成繊維、天然樹脂、合成樹脂、金属、木、などからなる。特に、前記第１パーツ２は、図に示すように、折り曲げたり湾曲させたりするので、フレキシブル部材からなるものが好ましい。また、前記第１パーツ２および前記第２パーツ３、４および前記第３パーツ５、６は、表裏両面９、１０、１１、１２、１３、１４、１５、１６、１７を使用することが可能である。すなわち、前記パーツ２および３、４および５、６は、リバーシブル構造となっている。また、前記パーツ２および３、４および５、６の表裏両面９、１０、１１、１２、１３、１４、１５、１６、１７を、色およびまたは素材を変えてある。なお、前記第３パーツ６の裏面は、図示されていない。
【００１６】
また、前記組立式バッグ１は、前記パーツ２〜８を相互に着脱可能に取り付ける取付部材を備える。すなわち、前記第１パーツ２と前記第２パーツ３、４および第３パーツ５、６とを相互に着脱可能に取り付ける取付部材は、オートマチック式スライダのスライドファスナ（オープンファスナ）１９である。前記スライドファスナ１９は、金属製でも樹脂製でもよい。前記第１パーツ２の左右両端の縁には、スライダ２０および一端のジョイントストッパ６８および他端のストッパ２１を有する一方のスライドファスナ２２が縫製などにより取り付けられている。また、前記第２パーツ３、４および前記第３パーツ５、６の縁には、一端のジョイント部２３および他端のストッパ２４を有する他方のスライドファスナ２５が縫製などにより取り付けられている。
【００１７】
前記一方のスライドファスナ２２の長さＡと、前記他方のスライドファスナ２５の長さＢとは、ほぼ一致している。また、前記第２パーツ３、４のスライドファスナ２５と、前記第３パーツ５、６のスライドファスナ２５とは、左右対称に取り付けられている。この結果、前記第１パーツ２および前記第２パーツ３、４および前記第３パーツ５、６をリバーシブルに使用することができる。
【００１８】
また、前記第１パーツ２と前記第４パーツ７および第５パーツ８とを相互に着脱可能に取り付ける取付部材は、止め具２６である。止め具２６は、金属製でも樹脂製でもよい。前記第４パーツ７および第５パーツ８の両端には、前記止め具２６が縫製、打ち込み、接着などにより取り付けられている。なお、止め具２６としては、後記の実施例９〜１１の嵌合止め具５９（嵌合凸部６４と嵌合凹部６５とから構成されている嵌合止め具５９）を使用しても良い。この場合、前記第１パーツ２には、嵌合凸部６４や嵌合凹部６５が設けられ、一方、前記第４パーツ７および第５パーツ８には、前記第１パーツ２の嵌合凸部６４に嵌合する嵌合凹部６５や前記第１パーツ２の嵌合凹部６５に嵌合する嵌合凸部６４が設けられる。
【００１９】
この実施例１にかかる組立式バッグ１は、以上のごとき構成からなり、以下、その作用について説明する。
【００２０】
まず、ほぼ半長円形の第２パーツ３および第３パーツ５を使用する場合について説明する。第１パーツ２に第４パーツ７および第５パーツ８を止め具２６により取り付ける。この第１パーツ２の表面９を外側（裏面１０を内側）にしてこの第１パーツ２をほぼ半長円形に折り曲げる。また、ほぼ半長円形の第２パーツ３および第３パーツ５の表面１１、１５を外側（裏面１２、１６を内側）にする（図２参照）。
【００２１】
第１パーツ２側のスライドファスナ２２の一端のジョイントストッパ６８と、第２パーツ３側のスライドファスナ２５の一端のジョイント部２３および第３パーツ５側のスライドファスナ２５の一端のジョイント部２３とを、スライダ２０を介して合わせる。このスライダ２０を、スライドファスナ２２および２５の一端のジョイントストッパ６８およびジョイント部２３から、スライドファスナ２２および２５の他端のストッパ２１および２４まで、スライドさせる。この結果、第１パーツ２側のスライドファスナ２２と、第２パーツ３側のスライドファスナ２５および第３パーツ５側のスライドファスナ２５と、が結合されて、第１パーツ２と第２パーツ３および第３パーツ５とが相互に取り付けられて、組立式バッグ１が完成する（図３参照）。
【００２２】
なお、ほぼ半長円形の第２パーツ３および第３パーツ５の表面１１、１５を内側（裏面１２、１６を外側）にすると、図４（Ａ）に示す組立式バッグ１が得られる。このとき、第１パーツ２側のスライドファスナ２２の一端のジョイントストッパ６８と、裏返した第２パーツ３側のスライドファスナ２５の一端のジョイント部２３および裏返した第３パーツ５側のスライドファスナ２５の一端のジョイント部２３とを、スライダ２０を介して合わせる必要がある。このために、第２パーツ３と第３パーツ５とは、図２および図３に示す位置から図４（Ａ）に示す位置に位置換えする必要がある。
【００２３】
また、第１パーツ２の表面９を内側（裏面１０を外側）にすると、図４（Ｂ）に示す組立式バッグ１が得られる。このとき、前記と同様に、裏返した第１パーツ２側のスライドファスナ２２の一端のジョイントストッパ６８と、第２パーツ３側のスライドファスナ２５の一端のジョイント部２３および第３パーツ５側のスライドファスナ２５の一端のジョイント部２３とを、スライダ２０を介して合わせる必要がある。このために、裏返した第１パーツ２に対して、第２パーツ３と第３パーツ５とは、図２および図３に示す位置から図４（Ｂ）に示す位置に位置換えする必要がある。
【００２４】
さらに、第１パーツ２の表面９を内側（裏面１０を外側）にし、かつ、ほぼ半長円形の第２パーツ３および第３パーツ５の表面１１、１５を内側（裏面１２、１６を外側）にすると、図４（Ｃ）に示す組立式バッグ１が得られる。このとき、前記と同様に、裏返した第１パーツ２側のスライドファスナ２２の一端のジョイントストッパ６８と、裏返した第２パーツ３側のスライドファスナ２５の一端のジョイント部２３および裏返した第３パーツ５側のスライドファスナ２５の一端のジョイント部２３とを、スライダ２０を介して合わせる必要がある。このために、図４（Ｃ）に示すように、裏返した第１パーツ２に対して、裏返した第２パーツ３と裏返した第３パーツ５とは、そのままの位置でよい。
【００２５】
つぎに、ほぼ半円形の第２パーツ４および第３パーツ６を使用する場合について説明する。第１パーツ２に第４パーツ７および第５パーツ８を止め具２６により取り付ける。この第１パーツ２の表面９を外側（裏面１０を内側）にしてこの第１パーツ２をほぼ半円形に折り曲げる。また、ほぼ半円形の第２パーツ４および第３パーツ６の表面１３、１７を外側（裏面１４を内側）にする（図５参照）。
【００２６】
第１パーツ２側のスライドファスナ２２の一端のジョイントストッパ６８と、第２パーツ４側のスライドファスナ２５の一端のジョイント部２３および第３パーツ６側のスライドファスナ２５の一端のジョイント部２３とを、スライダ２０を介して合わせる。このスライダ２０を、スライドファスナ２２および２５の一端のジョイントストッパ６８およびジョイント部２３から、スライドファスナ２２および２５の他端のストッパ２１および２４まで、スライドさせる。この結果、第１パーツ２側のスライドファスナ２２と、第２パーツ４側のスライドファスナ２５および第３パーツ５６のスライドファスナ２５と、が結合されて、第１パーツ２と第２パーツ４および第３パーツ６とが相互に取り付けられて、組立式バッグ１が完成する（図６参照）。なお、第１パーツ２の表面９を内側（裏面１０を外側）にしたり、また、ほぼ半円形の第２パーツ４および第３パーツ６の表面１３、１７を内側（裏面１４を外側）にしたりすると、前述のように、４通りの組立式バッグ１が得られる。
【００２７】
この実施例１にかかる組立式バッグ１は、以上のごとき構成および作用からなり、以下、その効果について説明する。
【００２８】
この実施例１にかかる組立式バッグ１は、バッグの本体部を構成する第１パーツ２および第２パーツ３、４および第３パーツ５、６（すなわち、少なくとも２つのパーツ）がスライドファスナ１９（すなわち、取付部材）によりリバーシブル（表裏両面が使用可能）に取り付けられている。このために、この実施例１にかかる組立式バッグ１は、第１パーツ２および第２パーツ３、４および第３パーツ５、６の表裏両面９、１０、１１、１２、１３、１４、１５、１６、１７をリバーシブルに使用することができる。この結果、この実施例１にかかる組立式バッグ１は、パーツの表面のみを使用する従来の前者の組立式バッグ、および、面部材のみ裏返して使用することができる従来の後者の組立式バッグと比較して、パーツの変化の多様化を図ることができる。すなわち、組み立てられたバッグ１は、図３および図４（Ａ）および図４（Ｂ）および図４（Ｃ）に示すように、４通りと使用可能となる。
【００２９】
特に、この実施例１にかかる組立式バッグ１は、一方の第２パーツ３および第３パーツ５の形状と、他方の第２パーツ４および第３パーツ６の形状と、が異なる。このために、この実施例１にかかる組立式バッグ１は、形状の異なるパーツ、すなわち、一方の第２パーツ３および第３パーツ５と他方の第２パーツ４および第３パーツ６とを入れ替えることにより、組み立てられたバッグ１の形状が図３および図４の形状と図６の形状と異なる。この結果、この実施例１にかかる組立式バッグ１は、さらに、変化の多様化を図ることができる。すなわち、２パターン以上の色のコンビネーションや形状のコンビネーションや素材のコンビネーションを楽しむことができる。
【００３０】
なお、前記の実施例１においては、第１パーツ２および第２パーツ３、４および第３パーツ５、６が表裏両面９、１０、１１、１２、１３、１４、１５、１６、１７を使用することが可能である。すなわち、前記パーツ２および３、４および５、６がリバーシブル構造となっているものである。ここで、取手を構成する第４パーツ７および第５パーツ８をもリバーシブル構造としても良い。
【実施例２】
【００３１】
図７および図８は、この発明にかかる組立式バッグの実施例２を示す。図中、図１〜図６と同符号は同一のものを示す。
【００３２】
この実施例２にかかる組立式バッグ１Ａは、少なくとも２つのパーツ２７および２８と、この２つのパーツ２７および２８を相互に着脱可能に取り付ける取付部材としてのスライドファスナ１９と、を備えるものである。前記スライドファスナ１９は、前記の実施例１のロック式のスライドファスナ１９であって、スライダ２０がスライド本体２９と持ち手３０とから構成されている。図７に示すように、持ち手３０がスライド本体２９に対してほぼ水平の状態にあるときには、スライダ２０は、ロック状態にあって、スライドしない。すなわち、スライドファスナ１９を開閉することができない。一方、持ち手３０をスライド本体２９に対して起こす（図７の紙面に対してほぼ垂直に起こす）と、スライダ２０のロック状態が解除されて、スライダ２０は、スライド可能となり、スライドファスナ１９を開閉することができる。また、持ち手３０をスライド本体２９に対してほぼ水平の状態にすると、スライダ２０がロックされる。
【００３３】
前記２つのパーツ２７および２８のうち、少なくとも１つのパーツ（この実施例２においては２つのパーツ２７および２８）の裏面には、裏地３１および３２が縫製などにより設けられている。前記スライドファスナ１９は、前記裏地３１および３２に隠れている。すなわち、前記スライドファスナ１９、特にスライダ２０を覆い隠せる程度の大きさの前記裏地３１および３２を、前記２つのパーツ２７および２８の裏面に縫製する。なお、図８中の点線は、前記裏地３１および３２を前記２つのパーツ２７および２８の裏面に縫製した縫い目を示す。
【００３４】
この実施例２にかかる組立式バッグ１Ａは、２つのパーツ２７および２８の裏面に裏地３１および３２を設け、この裏地３１および３２によりスライドファスナ１９が隠れて見えないので、見栄えが向上される。しかも、２つのパーツ２７および２８の裏面に裏地３１および３２を設けることにより、さらに見栄えが向上される。
【００３５】
特に、この実施例２にかかる組立式バッグ１Ａは、スライドファスナ１９のスライダ２０が裏地３１および３２に覆い隠されているので、持ち手３０のスライド本体２９に対する水平状態が裏地３１および３２により保持されている。すなわち、持ち手３０がスライド本体２９に対して不用意に起こされて、スライダ２０のロック状態が不用意に解除されることを未然に防ぐことができる。これにより、結合した２つのパーツ２７と２８とが不用意に離れることを未然に防止することができる。
【００３６】
なお、この実施例２においては、２つのパーツ２７および２８について説明するものであるが、この発明においては、３つ以上のパーツを使用するものでもよい。また、この実施例２においては、２つのパーツ２７および２８の裏面に裏地３１および３２を設けるものであるが、この発明においては、少なくとも１つのパーツの裏面に裏地を設けるものであってもよい。さらに、この発明においては、裏面に裏地を設けたパーツ以外のパーツの裏面に裏地を設けなくてもよい。さらにまた、この発明においては、裏面に裏地を設けたパーツを前記の実施例１のようにリバーシブル構造としてもよい。
【実施例３】
【００３７】
図９および図１０は、この発明にかかる組立式バッグの実施例３を示す。図中、図１〜図８と同符号は、同一のものを示す。
【００３８】
この実施例３にかかる組立式バッグ１Ｂは、図９に示すように、左側襠および右側襠および底面を形成する第１パーツ３３と、正面側の第２パーツ３４と、背面側の第３パーツ３５と、２つの取手の第４パーツ７および第５パーツ８と、から構成されている。前記第１パーツ３３は、細長い長方形をなす。前記第２パーツ３４および前記第３パーツ３５は、ほぼ長方形をなす。前記第１パーツ３３および前記第２パーツ３４および前記第３パーツ３５は、バッグの本体部を構成する。
【００３９】
前記第１パーツ３３および前記第２パーツ３４および前記第３パーツ３５は、前記の実施例１のパーツ２〜６と同様に、バッグの素材となり得る部材からなる。特に、前記第１パーツ３３は、図に示すように、折り曲げたり湾曲させたりするので、フレキシブル部材からなるものが好ましい。また、前記第１パーツ３３および前記第２パーツ３４および前記第３パーツ３５は、表裏両面を使用することが可能である。すなわち、前記パーツ３３〜３５は、リバーシブル構造となっている。また、前記パーツ３３〜３５の表裏両面を色およびまたは素材を変えてある。さらに、前記第２パーツ３４の表面３７には、ポケット部３６が設けられている。すなわち、この実施例３にかかる組立式バッグ１Ｂは、ポケットつきのものである。
【００４０】
前記第１パーツ３３と前記第２パーツ３４および前記第３パーツ３５とには、相互に着脱可能に取り付ける取付部材としてのスライドファスナ１９が設けられている。前記第１パーツ３３の両長辺に設けられている一方のスライドファスナ２２の長さと、前記第２パーツ３４および前記第３パーツ３５の３辺に設けられている他方のスライドファスナ２５の長さとは、ほぼ同一長さである。なお、図９においては、図解しやすいように、前記第１パーツ３３の一方のスライドファスナ２２の長さが、前記第２パーツ３４および前記第３パーツ３５の他方のスライドファスナ２５の長さよりも長く図示されている。また、前記第２パーツ３４のスライドファスナ２５と、前記第３パーツ３５のスライドファスナ２５とは、左右対称に取り付けられている。この結果、前記第１パーツ３３および前記第２パーツ３４および前記第３パーツ３５をリバーシブルに使用することができる。
【００４１】
この実施例３にかかる組立式バッグ１Ｂは、以上のごとき構成からなり、以下、その作用について説明する。
【００４２】
まず、第２パーツ３４、第３パーツ３５に第４パーツ７、第５パーツ８を止め具２６により取り付ける。一方、第１パーツ３３の表面を外側（裏面を内側）にしてこの第１パーツ３３をほぼ凹形状（コの字形状）に折り曲げる。また、第２パーツ３４の表面３７および第３パーツ３５の表面をそれぞれ内側にする。第１パーツ３３側のスライドファスナ２２の一端のジョイントストッパ６８と、第２パーツ３４側のスライドファスナ２５の一端のジョイント部２３および第３パーツ３５側のスライドファスナ２５の一端のジョイント部２３とを、スライダ２０を介して合わせる。このスライダ２０を、スライドファスナ２２および２５の一端のジョイントストッパ６８およびジョイント部２３から、スライドファスナ２２および２５の他端のストッパ２１および２４まで、スライドさせる。この結果、第１パーツ３３側のスライドファスナ２２と、第２パーツ３４側のスライドファスナ２５および第３パーツ３５側のスライドファスナ２５と、が結合されて、第１パーツ３３と第２パーツ３４および第３パーツ３５とが相互に取り付けられて、図１０に示すように、ポケット部３６が内側に位置する内側ポケットを有する組立式バッグ１Ｂが完成する。
【００４３】
また、第２パーツ３４の表面３７および第３パーツ３５の表面をそれぞれ外側にして、第１パーツ３３と第２パーツ３４および第３パーツ３５とをスライドファスナ１９により相互に取り付けると、図９に示すように、ポケット部３６が外側に位置する外側ポケットを有する組立式バッグ１Ｂが完成する。さらに、第１パーツ３３の表面を内側（裏面を外側）にして、ポケット部３６が内側に位置する内側ポケットを有する組立式バッグ１Ｂやポケット部３６が外側に位置する外側ポケットを有する組立式バッグ１Ｂが完成する。さらにまた、第２パーツおよび第３パーツを形状が異なる第２パーツおよび第３パーツに代えることにより、形状が異なる組立式バッグ１Ｂが完成する。この結果、変化の多様化を図ることができる。
【００４４】
この実施例３にかかる組立式バッグ１Ｂは、以上のごとき構成および作用からなるので、前記の実施例１にかかる組立式バッグ１とほぼ同様の効果を達成することができる。また、第１パーツ３３または第２パーツ３４および第３パーツ３５のうち少なくともいずれか一方に裏地を設けることにより、前記の第２実施例と同様の作用効果を達成することができる。
【実施例４】
【００４５】
図１１および図１２は、この発明にかかる組立式バッグの実施例４を示す。図中、図１〜図１０と同符号は、同一のものを示す。
【００４６】
この実施例４にかかる組立式バッグ１Ｃは、図１１に示すように、正面および背面および底面を形成する第１パーツ３８と、左側襠および右側襠および取手を形成する第２パーツ３９と、から構成されている。すなわち、この実施例４にかかる組立式バッグ１Ｃは、２パーツの構造をなすものである。前記第１パーツ３８は、ほぼ長方形をなす。前記第２パーツ３９は、細長い長方形状であって、両端が湾曲形状をなし、中央部が幅狭い形状をなす。前記第１パーツ３８および前記第２パーツ３９は、バッグの本体部を構成する。また、前記第２パーツ３９は、取手を構成する。
【００４７】
前記第１パーツ３８と前記第２パーツ３９とには、相互に着脱可能に取り付ける取付部材としてのスライドファスナ１９が設けられている。前記第１パーツ３８の２長辺に設けられている一方のスライドファスナ２２の長さと、前記第２パーツ３９の両端部に設けられている他方のスライドファスナ２５の長さとは、ほぼ同一長さである。また、前記第２パーツ３９の両端部のスライドファスナ２５、２５は、左右対称に取り付けられている。この結果、前記第１パーツ３８および前記第２パーツ３９をリバーシブルに使用することができる。
【００４８】
この実施例４にかかる組立式バッグ１Ｃは、以上のごとき構成からなり、以下、その作用について説明する。
【００４９】
まず、第１パーツ３８の表面を外側（裏面を内側）にしてこの第１パーツ３８をほぼ半長円形に折り曲げる。また、第２パーツ３９の表面を外側（裏面を内側）にする。第１パーツ２側のスライドファスナ２２、２２の一端のジョイントストッパ６８１、６８２と、第２パーツ３９側のスライドファスナ２５、２５の一端のジョイント部２３１、２３２とを、スライダ２０１、２０２を介して合わせる。このスライダ２０１、２０２を、スライドファスナ２２および２５の一端のジョイントストッパ６８１、６８２およびジョイント部２３１、２３２から、スライドファスナ２２および２５の他端のストッパ２１１、２１２および２４１、２４２まで、スライドさせる。この結果、第１パーツ３８側のスライドファスナ２２、２２と、第２パーツ３９側のスライドファスナ２５、２５と、が結合されて、第１パーツ３８と第２パーツ３９とが相互に取り付けられて、図１２に示すように、組立式バッグ１Ｃが完成する。
【００５０】
また、第１パーツ３８の表面を内側にしてかつ第２パーツ３９の表面を外側にし、この第１パーツ３８と第２パーツ３９とをスライドファスナ１９により相互に取り付けたり、第１パーツ３８の表面を外側にしてかつ第２パーツ３９の表面を内側にし、この第１パーツ３８と第２パーツ３９とをスライドファスナ１９により相互に取り付けたり、第１パーツ３８の表面を内側にしてかつ第２パーツ３９の表面を内側にし、この第１パーツ３８と第２パーツ３９とをスライドファスナ１９により相互に取り付けたりすることにより、４通りの組み立てバッグ１Ｃが得られる。さらに、第２パーツを形状が異なる第２パーツに代えることにより、形状が異なる組立式バッグ１Ｃが完成する。
【００５１】
この実施例４にかかる組立式バッグ１Ｃは、以上のごとき構成および作用からなるので、前記の実施例１、３にかかる組立式バッグ１、１Ｂとほぼ同様の効果を達成することができる。また、第１パーツ３８または第２パーツ３９のうち少なくともいずれか一方に裏地を設けることにより、前記の第２実施例と同様の作用効果を達成することができる。
【実施例５】
【００５２】
図１３は、この発明にかかる組立式バッグの実施例５を示す。図中、図１〜図１２と同符号は、同一のものを示す。
【００５３】
この実施例５にかかる組立式バッグ１Ｄは、図１３に示すように、バッグ本体を形成する第１パーツ４０と、正面の一部を形成する第２パーツ４１と、背面の一部を形成する第３パーツ４２と、２つの取手の第４パーツ７および第５パーツ８と、から構成されている。前記第１パーツ４０は、正面および背面および左側襠および右側襠および底面などからなる。前記第１パーツ４０および前記第２パーツ４１および前記第３パーツ４２は、バッグの本体部を構成する。なお、前記第１パーツ４０は、正面および背面および左側襠および右側襠および底面などが一体ものであってもよいし、前記の実施例１、３、４のように、正面および背面および左側襠および右側襠および底面などのうち少なくとも２つのパーツから構成されていてもよい。
【００５４】
前記第１パーツ４０の正面および背面の上縁のほぼ中央部には、ほぼ半円形の凹部（もしくは切欠）４３が設けられている。前記第２パーツ４１および前記第３パーツ４２は、前記凹部とほぼ同一形状の半円形をなす。
【００５５】
前記第１パーツ４０の凹部と前記第２パーツ４１および前記第３パーツ４２の半円縁とには、相互に着脱可能に取り付ける取付部材としてのスライドファスナ１９が設けられている。前記第１パーツ４０の凹部に設けられている一方のスライドファスナの長さと、前記第２パーツ４１および前記第３パーツ４２の半円縁に設けられている他方のスライドファスナの長さとは、ほぼ同一長さである。また、前記第２パーツ４１のスライドファスナと、前記第３パーツ４２のスライドファスナとは、左右対称に取り付けられている。この結果、前記第１パーツ４０および前記第２パーツ４１および前記第３パーツ４２をリバーシブルに使用することができる。
【００５６】
この実施例５にかかる組立式バッグ１Ｄは、以上のごとき構成からなり、以下、その作用について説明する。
【００５７】
まず、第１パーツ４０に第４パーツ７、第５パーツ８を止め具２６により取り付ける。また、第２パーツ４１の表面および第３パーツ４２の表面をそれぞれ内側にする。第１パーツ４０側のスライドファスナの一端のジョイントストッパ６８と、第２パーツ４１側のスライドファスナの一端のジョイント部２３および第３パーツ４２側のスライドファスナの一端のジョイント部２３とを、スライダ２０を介して合わせる。このスライダ２０を、スライドファスナの一端のジョイントストッパ６８およびジョイント部２３から、スライドファスナの他端のストッパ２１および２４まで、スライドさせる。この結果、第１パーツ４０側のスライドファスナと、第２パーツ４１側のスライドファスナおよび第３パーツ４２側のスライドファスナと、が結合されて、第１パーツ４０と第２パーツ４１および第３パーツ４２とが相互に取り付けられて、図１３に示すように、組立式バッグ１Ｄが完成する。
【００５８】
また、第２パーツ４１と第３パーツ４２とを入れ替えて（差し替えて）第２パーツ４１の表面および第３パーツ４２の表面をそれぞれ外側にし、第１パーツ４０と第２パーツ４１および第３パーツ４２とをスライドファスナ１９により相互に取り付けたり、第１パーツ４０の内側を外側に裏返してかつ第２パーツ４１および第３パーツ４２の表面を内側にして、この第１パーツ４０と第２パーツ４１および第３パーツ４２とをスライドファスナ１９により相互に取り付けたり、第１パーツ４０を裏返しのままで第２パーツ４１の表面および第３パーツ４２の表面をそれぞれ外側にして、第１パーツ４０と第２パーツ４１および第３パーツ４２とをスライドファスナ１９により相互に取り付けたりすることにより、４通りの組み立てバッグ１Ｃが得られる。
【００５９】
この実施例５にかかる組立式バッグ１Ｄは、以上のごとき構成および作用からなるので、前記の実施例１、３、４にかかる組立式バッグ１、１Ｂ、１Ｃとほぼ同様の効果を達成することができる。また、第１パーツ４０または第２パーツ４１および第３パーツ４２のうち少なくともいずれか一方に裏地を設けることにより、前記の第２実施例と同様の作用効果を達成することができる。
【実施例６】
【００６０】
図１４は、この発明にかかる組立式バッグの実施例６を示す。図中、図１〜図１３と同符号は、同一のものを示す。
【００６１】
この実施例６にかかる組立式バッグ１Ｅは、図１４（Ａ）に示すように、正面を形成する第１パーツ４３と、背面を形成する第２パーツ４４と、２つの取手の第４パーツ７および第５パーツ８と、から構成されている。この実施例６にかかる組立式バッグ１Ｅは、襠がないものに関するものである。前記第１パーツ４３および前記第２パーツ４４は、ほぼ長方形をなしかつ一端部が半円形をなす。前記第１パーツ４３および前記第２パーツ４４は、バッグの本体部を構成する。
【００６２】
前記第１パーツ４３および前記第２パーツ４４の左右両縁および半円形の縁には、相互に着脱可能に取り付ける取付部材としてのスライドファスナ１９が設けられている。前記第１パーツ４３に設けられている一方のスライドファスナ２２の長さと、前記第２パーツ４４に設けられている他方のスライドファスナ２５の長さとは、ほぼ同一長さである。また、前記第１パーツ４３のスライドファスナ２２と、前記第２パーツ４４のスライドファスナ２５とは、左右対称に取り付けられている。この結果、前記第１パーツ４３および前記第２パーツ４４をリバーシブルに使用することができる。
【００６３】
この実施例６にかかる組立式バッグ１Ｅは、以上のごとき構成からなり、以下、その作用について説明する。
【００６４】
まず、第１パーツ４３、第２パーツ４４に第４パーツ７、第５パーツ８を止め具２６により取り付ける。また、第１パーツ４３の表面および第２パーツ４４の表面をそれぞれ内側にする。第１パーツ４３側のスライドファスナ２２の一端のジョイントストッパ６８と、第２パーツ４４側のスライドファスナ２５の一端のジョイント部２３とを、スライダ２０を介して合わせる。このスライダ２０を、スライドファスナ２２、２５の一端のジョイントストッパ６８およびジョイント部２３から、スライドファスナ２２、２５の他端のストッパ２１および２４まで、スライドさせる。この結果、第１パーツ４３側のスライドファスナ２２と、第２パーツ４４側のスライドファスナ２５と、が結合されて、第１パーツ４３と第２パーツ４４とが相互に取り付けられて、図１４に示すように、組立式バッグ１Ｅが完成する。
【００６５】
また、第１パーツ４３の表面および第２パーツ４４の表面をそれぞれ外側にし、第１パーツ４３と第２パーツ４４とをスライドファスナ１９により相互に取り付けたりすることにより、２通りの組み立てバッグ１Ｅが得られる。
【００６６】
この実施例６にかかる組立式バッグ１Ｅは、以上のごとき構成および作用からなるので、前記の実施例１、３、４、５にかかる組立式バッグ１、１Ｂ、１Ｃ、１Ｄとほぼ同様の効果を達成することができる。また、第１パーツ４３または第２パーツ４４のうち少なくともいずれか一方に裏地を設けることにより、前記の第２実施例と同様の作用効果を達成することができる。
【実施例７】
【００６７】
図１５は、この発明にかかる組立式バッグの実施例７を示す。図中、図１〜図１４と同符号は、同一のものを示す。
【００６８】
この実施例７にかかる組立式バッグ１Ｆは、図１５（Ａ）に示すように、正面および背面および底面を形成する第１パーツ４５と、左側襠を形成する第２パーツ４６と、右側襠を形成する第３パーツ４７と、蓋を形成する第４パーツ４８と、取手を形成する第５パーツ８と、から構成されている。この実施例７にかかる組立式バッグ１Ｆは、蓋つきのバッグに関するものである。
【００６９】
前記第１パーツ４５は、大判のほぼ長方形をなす。前記第２パーツ４６および前記第３パーツ４７は、小判のほぼ長方形をなす。前記第４パーツ４８は、中判のほぼ長方形をなしかつ一長辺の左右両端部が４分の１円形をなす。前記第１パーツ４５および前記第２パーツ４６および前記第３パーツ４７および前記第４パーツ４８は、バッグの本体部を構成する。
【００７０】
前記第１パーツ４５の左右両長縁と前記第２パーツ４６および前記第３パーツ４７の上下両長縁および一短縁とには、相互に着脱可能に取り付ける取付部材としてのスライドファスナ１９が設けられている。また、前記第１パーツ４５の一短縁と前記第４パーツ４８の他長縁とには、相互に着脱可能に取り付ける取付部材としてのスライドファスナ１９が設けられている。前記第１パーツ４５の左右両長縁に設けられている一方のスライドファスナ２２の長さと、前記第２パーツ４６および前記第３パーツ４７の上下両長縁および一短縁に設けられている他方のスライドファスナ２５の長さとは、ほぼ同一長さである。また、前記第１パーツ４５の一短縁に設けられている一方のスライドファスナ２２の長さと、前記第４パーツ４８の他長縁に設けられている他方のスライドファスナ２５の長さとは、ほぼ同一長さである。さらに、前記第２パーツ４６のスライドファスナ２５と、前記第３パーツ４７のスライドファスナ２５とは、左右対称に取り付けられている。この結果、前記第１パーツ４５および前記第２パーツ４６および前記第３パーツ４７および前記第４パーツ４８をリバーシブルに使用することができる。
【００７１】
この実施例７にかかる組立式バッグ１Ｆは、以上のごとき構成からなり、以下、その作用について説明する。
【００７２】
まず、第４パーツ４８に第５パーツ８を止め具２６により取り付ける。一方、第１パーツ４５の表面を内側にしてこの第１パーツ４５を縦に長いほぼ凹形状（コの字形状）に折り曲げる。また、第２パーツ４６の表面および第３パーツ４７の表面をそれぞれ内側にする。第１パーツ４５側のスライドファスナ２２の一端のジョイントストッパ６８と、第２パーツ４６側のスライドファスナ２５の一端のジョイント部２３および第３パーツ４７側のスライドファスナ２５の一端のジョイント部２３とを、スライダ２０を介して合わせる。このスライダ２０を、スライドファスナ２２および２５の一端のジョイントストッパ６８およびジョイント部２３から、スライドファスナ２２および２５の他端のストッパ２１および２４まで、スライドさせる。この結果、第１パーツ４５側のスライドファスナ２２と、第２パーツ４６側のスライドファスナ２５および第３パーツ４７側のスライドファスナ２５と、が結合されて、第１パーツ４５と第２パーツ４６および第３パーツ４７とが相互に取り付けられる。さらに、第４パーツ４８の表面を内側にする。第１パーツ４５側のスライドファスナ２２の一端のジョイントストッパ６８と、第４パーツ４８側のスライドファスナ２５の一端のジョイント部２３とを、スライダ２０を介して合わせる。このスライダ２０を、スライドファスナ２２および２５の一端のジョイントストッパ６８およびジョイント部２３から、スライドファスナ２２および２５の他端のストッパ２１および２４まで、スライドさせる。この結果、第１パーツ４５側のスライドファスナ２２と、第４パーツ４８側のスライドファスナ２５と、が結合されて、第１パーツ４５と第４パーツ４８とが相互に取り付けられる。この結果、図１５（Ｂ）に示すように、組立式バッグ１Ｆが完成する。
【００７３】
また、第１パーツ４５および第４パーツ４８の表面を内側にしてかつ第２パーツ４６および第３パーツ４７の表面を外側にし、この第１パーツ４５と第２パーツ４６および第３パーツ４７とをスライドファスナ１９により相互に取り付けたり、第１パーツ４５および第４パーツ４８の表面を外側にしてかつ第２パーツ４６および第３パーツ４７の表面を内側にし、この第１パーツ４５と第２パーツ４６および第３パーツ４７とをスライドファスナ１９により相互に取り付けたり、第１パーツ４５および第４パーツ４８の表面を外側にしてかつ第２パーツ４６および第３パーツ４７の表面を外側にし、この第１パーツ４５と第２パーツ４６および第３パーツ４７とをスライドファスナ１９により相互に取り付けたりすることにより、４通りの組み立てバッグ１Ｆが得られる。さらに、第２パーツ、第３パーツ、第４パーツを形状が異なる第２パーツ、第３パーツ、第４パーツに代えることにより、形状が異なる組立式バッグ１Ｆが完成する。
【００７４】
この実施例７にかかる組立式バッグ１Ｆは、以上のごとき構成および作用からなるので、前記の実施例１、３、４、５、６にかかる組立式バッグ１、１Ｂ、１Ｃ、１Ｄ、１Ｅとほぼ同様の効果を達成することができる。また、第１パーツ４５または第２パーツ４６および第３パーツ４７および第４パーツ４８のうち少なくともいずれか一方に裏地を設けることにより、前記の第２実施例と同様の作用効果を達成することができる。
【実施例８】
【００７５】
図１６は、この発明にかかる組立式バッグの実施例８を示す。図中、図１〜図１５と同符号は、同一のものを示す。
【００７６】
この実施例８にかかる組立式バッグ１Ｇは、図１６（Ａ）に示すように、上面および底面および左面および右面を形成する第１パーツ４９と、正面を形成する第２パーツ５０と、背面を形成する第３パーツ５１と、ショルダーベルトを形成する第４パーツ５２と、から構成されている。この実施例８にかかる組立式バッグ１Ｇは、ポーチタイプに関するものである。
【００７７】
前記第１パーツ４９は、長円形の中空状の筒形状をなす。前記第１パーツ４９の上面には、開閉口５３が設けられている。前記開閉口５３の両縁には、スライドファスナ１９が取り付けられている。前記第２パーツ５０および前記第３パーツ５１は、長円形をなす。前記第４パーツ５２は、ベルト形状をなす。前記第１パーツ４９および前記第２パーツ５０および前記第３パーツ５１は、バッグの本体部を構成する。
【００７８】
前記第１パーツ４９の正面側の開口縁および背面側の開口縁と前記第２パーツ５０および前記第３パーツ５１の全周縁とには、相互に着脱可能に取り付ける取付部材としてのスライドファスナ１９が設けられている。また、前記第４パーツ５２の両端には、止め具２６が取り付けられている。前記第１パーツ４９の正面側の開口縁および背面側の開口縁に設けられている一方のスライドファスナ２２の長さと、前記第２パーツ５０および前記第３パーツ５１の全周縁に設けられている他方のスライドファスナ２５の長さとは、ほぼ同一長さである。さらに、前記第２パーツ５０のスライドファスナ２５と、前記第３パーツ５１のスライドファスナ２５とは、左右対称に取り付けられている。この結果、前記第１パーツ４９および前記第２パーツ５０および前記第３パーツ５１をリバーシブルに使用することができる。
【００７９】
この実施例８にかかる組立式バッグ１Ｇは、以上のごとき構成からなり、以下、その作用について説明する。
【００８０】
まず、第１パーツ４９に第４パーツ５２を止め具２６により取り付ける。一方、第２パーツ５０の表面および第３パーツ５１の表面をそれぞれ内側にする。第１パーツ４９側のスライドファスナ２２のジョイントストッパ６８と、第２パーツ５０側のスライドファスナ２５のジョイント部２３および第３パーツ５１側のスライドファスナ２５のジョイント部２３とを、スライダ２０を介して合わせる。このスライダ２０を、スライドファスナ２２および２５のジョイントストッパ６８およびジョイント部２３から、スライドファスナ２２および２５のストッパ２１および２４まで、スライドさせる。この結果、第１パーツ４９側のスライドファスナ２２と、第２パーツ５０側のスライドファスナ２５および第３パーツ５１側のスライドファスナ２５と、が結合されて、第１パーツ４９と第２パーツ５０および第３パーツ５１とが相互に取り付けられる。この結果、図１６（Ｂ）に示すように、組立式バッグ１Ｇが完成する。
【００８１】
また、第２パーツ５０の表面および第３パーツ５１の表面をそれぞれ外側にし、第１パーツ４９と第２パーツ５０および第３パーツ５１とをスライドファスナ１９により相互に取り付けたり、第１パーツ４９の内側を外側に裏返してかつ第２パーツ５０および第３パーツ５１の表面を内側にして、この第１パーツ４９と第２パーツ５０および第３パーツ５１とをスライドファスナ１９により相互に取り付けたり、第１パーツ４９を裏返しのままで第２パーツ５０の表面および第３パーツ５１の表面をそれぞれ外側にして、第１パーツ４９と第２パーツ５０および第３パーツ５１とをスライドファスナ１９により相互に取り付けたりすることにより、４通りの組み立てバッグ１Ｇが得られる。さらに、第２パーツ、第３パーツ、第４パーツを形状が異なる第２パーツ、第３パーツ、第４パーツに代えることにより、形状が異なる組立式バッグ１Ｇが完成する。
【００８２】
この実施例８にかかる組立式バッグ１Ｇは、以上のごとき構成および作用からなるので、前記の実施例１、３、４、５、６、７にかかる組立式バッグ１、１Ｂ、１Ｃ、１Ｄ、１Ｅ、１Ｆとほぼ同様の効果を達成することができる。また、第１パーツ４９または第２パーツ５０および第３パーツ５１のうち少なくともいずれか一方に裏地を設けることにより、前記の第２実施例と同様の作用効果を達成することができる。
【実施例９】
【００８３】
図１７〜図２０は、この発明にかかる組立式バッグの実施例９を示す。図中、図１〜図１６と同符号は、同一のものを示す。
【００８４】
この実施例９にかかる組立式バッグ１Ｈは、図１７に示すように、バッグ本体を形成する第１パーツ５４と、２つの取手（ハンドル）の第２パーツ５５および第３パーツ５６と、から構成されている。前記第２パーツ５５および第３パーツ５６は、Ｕ字形状をなす。前記第２パーツ５５および第３パーツ５６の両端部は、２重のパーツ部材を縫製してなる。また、前記第２パーツ５５および第３パーツ５６の中間部は、パーツ部材をＵ字状に湾曲してその縁を縫製してなる。なお、図１７および図１８中の点線は、前記第２パーツ５５および第３パーツ５６の縫製の縫い目を示す。また、前記第１パーツ５４としては、前記の実施例１、３、５、６、７、８のバッグ本体を使用しても良い。一方、前記第２パーツ５５および第３パーツ５６の形状は、特に限定しない。たとえば、肩掛け式のショルダーベルタタイプでも良い。さらに、前記第１パーツ５４および第２パーツ５５および第３パーツ５６の素材は、前記の実施例１〜８のパーツと同様に、特に限定しない。たとえば、天然皮革、合成皮革、転写プリント素材、生地、フェルト、麻などの天然繊維、合成繊維、天然樹脂、合成樹脂、金属、木、などの素材でも良い。
【００８５】
また、前記組立式バッグ１Ｈは、前記第１パーツ５４と前記第２パーツ５５および前記第３パーツ５６とを相互に着脱可能に取り付ける取付部材を備える。すなわち、前記第１パーツ５５と前記第２パーツ５５および第３パーツ５６とを相互に着脱可能に取り付ける取付部材は、鉤部５７と、引っ掛かり部５８と、嵌合止め具５９と、から構成されている。
【００８６】
前記鉤具５７は、金属製や樹脂製などからなり、前記第２パーツ５５および第３パーツ５６の両端に縫製、打ち込み、接着などによりそれぞれ固定されている。前記鉤具５７は、図１９に示すように、固定部６０と、前記固定部６０からほぼ垂直に一体に突設されている中間部６１と、前記中間部６１からほぼ直角に曲げられて一体に設けられている先端部６２と、から構成されている。
【００８７】
前記固定部６０は、前記第２パーツ５５および第３パーツ５６の両端の中に縫製、打ち込み、接着などによりそれぞれ固定されている。前記中間部６１は、前記第２パーツ５５および第３パーツ５６の両端の内側面（前記第１パーツ５４に取り付ける側の面）から外に突出している。前記先端部６２は、前記第２パーツ５５および第３パーツ５６の中間部側に向ける。前記第２パーツ５５および第３パーツ５６の両端の内側面から前記先端部６２までの距離は、前記第１パーツ５４の開口部の縁部の厚みとほぼ同等かもしくは若干大きい。なお、前記鉤具５７の素材や形状や構造などは、特に限定しない。
【００８８】
前記引っ掛かり部５８は、前記第１パーツ５４の開口縁に、前記第２パーツ５５および第３パーツ５６の両端の前記鉤具５７に対応して設けられている。すなわち、前記第１パーツ５４の開口縁に長孔６３を設ける。前記長孔６３の長手方向は、前記第１パーツ５４のバッグ本体の深さ方向（上下方向）に合わせる。前記長孔６３の長さ（長手方向の長さ）および幅（短手方向の長さ）は、前記鉤具５７の中間部６１および先端部６２が挿入し得る程度の長さおよび幅である。前記引っ掛かり部５８は、前記長孔６３の上側（前記第１パーツ５４の開口縁側）の縁に形成されている。
【００８９】
前記嵌合止め具５９は、金属製や樹脂製などからなり、嵌合凸部６４と嵌合凹部６５とから構成されている。前記嵌合凸部６４は、前記第２パーツ５５および第３パーツ５６の両端に縫製、打ち込み、接着などによりそれぞれ固定されている。また、前記嵌合凸部６４は、前記第２パーツ５５および第３パーツ５６の両端の内側面から外に突出している。さらに、前記嵌合凸部６４は、前記鉤具５７より前記第２パーツ５５および第３パーツ５６の端側（下側）に位置している。一方、前記嵌合凹部６５は、前記第１パーツ５４の開口縁の前記長孔６３よりも下側の箇所に、前記嵌合凸部６４と対応して縫製、打ち込み、接着などによりそれぞれ固定されている。なお、前記嵌合止め具５９の素材や形状や構造などは、特に限定しない。また、前記嵌合凸部６４を前記第１パーツ５４側に固定し、前記嵌合凹部６５を前記第２パーツ５５および第３パーツ５６側に固定しても良い。
【００９０】
図１９に示すように、前記鉤具５７と前記長孔６３との相対位置関係に対して、前記嵌合止め具５９の前記嵌合凸部６４と前記嵌合凹部６５との相対位置関係は、上下方向に寸法Ｔ分ずれている。すなわち、前記鉤具５７を前記長孔６３中に挿入してかつ前記第１パーツ５４と前記第２パーツ５５および第３パーツ５６とを上下に移動させて前記鉤具５７を前記引っ掛かり部５８に引っ掛けた後に、前記嵌合止め具５９の前記嵌合凸部６４と前記嵌合凹部６５とを嵌合させる必要があるので、前記嵌合凸部６４と前記嵌合凹部６５との相対位置は、前記ずれ寸法Ｔ分上下にずれている。前記嵌合凸部６４と前記嵌合凹部６５との上下方向のずれ寸法Ｔは、前記鉤具５７を前記長孔６３中に挿入して（図２０（Ｂ）参照）から前記鉤具５７を前記引っ掛かり部５８に引っ掛ける（図２０（Ｃ）参照）まで、前記第１パーツ５４と前記第２パーツ５５および第３パーツ５６とを上下に移動させる距離分である。前記距離は、前記鉤具５７の中間部６１の上面から前記長孔６３の上縁までの距離Ｈとほぼ等しい。
【００９１】
前記鉤具５７が前記引っ掛かり部５８に引っ掛かる方向（図２０（Ｂ）中矢印Ｂ方向）と、前記嵌合止め具５９の前記嵌合凸部６４と前記嵌合凹部６５との嵌合方向（図２０（Ｃ）中の矢印Ｃ方向）とは、交差する。
【００９２】
この実施例９にかかる組立式バッグ１Ｈは、以上のごとき構成からなり、以下、その作用について説明する。
【００９３】
まず、第２パーツ５５および第３パーツ５６の両端部の内側面を第１パーツ５４の開口縁の外側面に向けて、第２パーツ５５および第３パーツ５６の両端部を第１パーツ５４の開口縁の外側に位置させる。この第２パーツ５５および第３パーツ５６の鉤具５７を第１パーツ５４の長孔６３に挿入させる（図２０（Ａ）矢印参照）。
【００９４】
つぎに、鉤具５７を長孔６３に挿入させた状態で第１パーツ５４と第２パーツ５５および第３パーツ５６とを上下に移動させる（図２０（Ｂ）矢印Ｂおよびその矢印Ｂと逆方向の矢印参照）。
【００９５】
それから、第２パーツ５５および第３パーツ５６側の鉤具５７を第１パーツ５４側の引っ掛かり部５８に引っ掛ける。そして、第２パーツ５５および第３パーツ５６側の嵌合凸部６４を第１パーツ５４側の嵌合凹部６５に嵌合させる（図２０（Ｃ）矢印Ｃ参照）。
【００９６】
これにより、第２パーツ５５および第３パーツ５６の両端部を第１パーツ５４の開口縁に簡単に取り付けることができる。また、前記の手順と逆に、第２パーツ５５および第３パーツ５６側の嵌合凸部６４を第１パーツ５４側の嵌合凹部６５から外し、第１パーツ５４と第２パーツ５５および第３パーツ５６とを上下に移動させて第２パーツ５５および第３パーツ５６側の鉤具５７を第１パーツ５４側の引っ掛かり部５８から外し、この状態で、第２パーツ５５および第３パーツ５６の鉤具５７を第１パーツ５４の長孔６３から抜くことにより、第２パーツ５５および第３パーツ５６の両端部を第１パーツ５４の開口縁に簡単に取り外すことができる。
【００９７】
この実施例９にかかる組立式バッグ１Ｈは、以上のごとき構成および作用からなり、以下、その効果について説明する。
【００９８】
この実施例９にかかる組立式バッグ１Ｈは、取付部材が、鉤部５７と、長孔６３の縁部の引っ掛かり部５８と、嵌合凸部６４および嵌合凹部６５の嵌合止め具５９と、から構成されているので、鉤具５７を引っ掛かり部５８に着脱可能に引っ掛け、かつ、嵌合止め具５９の嵌合凸部６４と嵌合凹部６５とを嵌合させることにより、第１パーツ５４と第２パーツ５５および第３パーツ５６とを簡単に着脱可能に取り付けることができる。
【００９９】
しかも、この実施例９にかかる組立式バッグ１Ｈは、取付部材において、鉤具５７が引っ掛かり部５８に引っ掛かる方向（図２０（Ｂ）中矢印Ｂ方向）と、嵌合止め具５９の嵌合凸部６４と嵌合凹部６５との嵌合方向（図２０（Ｃ）矢印Ｃ方向） とが、交差するので、取付部材により取り付け第１パーツ５４と第２パーツ５５および第３パーツ５６とが簡単に外れるようなことが無く、第１パーツ５４と第２パーツ５５および第３パーツ５６とを確実に取り付けることができる。
【０１００】
特に、この実施例９にかかる組立式バッグ１Ｈは、鉤具５７が引っ掛かり部５８に引っ掛かることにより、図１７および図２０（Ｃ）に示すように、鉤具５７の先端部と第２パーツ５５および第３パーツ５６とが第１パーツ５４の引っ掛かり部５８を挟持し、かつ、鉤具５７の中間部６１の上面が引っ掛かり部５８の下縁（長孔６３の上縁）に当接し、かつ、鉤具５７の中間部６１の左右面が長孔６３の左右縁に当接するので、鉤具５７が１方向（図２０（Ｂ）中矢印Ｂ方向と逆方向）を除いた５方向において規制されている。また、この実施例９にかかる組立式バッグ１Ｈは、嵌合止め具５９の嵌合凸部６４と嵌合凹部６５とが嵌合することにより、図２０（Ｃ）に示すように、嵌合止め具５９の嵌合凸部６４および嵌合凹部６５が嵌合方向（図２０中矢印Ｃ方向）に対して交差する方向において規制されている。この結果、この実施例９にかかる組立式バッグ１Ｈは、第１パーツ５４と第２パーツ５５および第３パーツ５６とを確実に取り付けることができるので、使用時において、組み立てられた第１パーツ５４と第２パーツ５５および第３パーツ５６とが不意に外れるようなことがない。
【０１０１】
また、この実施例９にかかる組立式バッグ１Ｈは、取付部材を介して第１パーツ５４と第２パーツ５５および第３パーツ５６とを着脱可能に取り付けると、図１７および図２０（Ｃ）に示すように、鉤具５７が引っ掛かり部５８に引っ掛かっている。このために、この実施例９にかかる組立式バッグ１Ｈは、バッグ本体の第１パーツ５４にたとえば第１パーツ５４中に収納した物の荷重が図２０中矢印Ｂ方向と逆方向にかかり、一方、取手の第２パーツ５５および第３パーツ５６にたとえば２パーツ５５および第３パーツ５６を持ち上げる荷重が図２０中矢印Ｂ方向にかかっても、それらの荷重に十分に耐えることができる。すなわち、この実施例９にかかる組立式バッグ１Ｈは、鉤具５７が引っ掛かり部５８に引っ掛かる方向およびその逆方向の力に対して十分に耐えることができる。
【０１０２】
さらに、この実施例９にかかる組立式バッグ１Ｈは、第２パーツ５５および第３パーツ５６の内側面側に鉤具５７の中間部６２および先端部６２と嵌合止め具５９の嵌合凸部６４とが突出していて、第２パーツ５５および第３パーツ５６の外側面側には何も突出していない。このために、この実施例９にかかる組立式バッグ１Ｈは、取付部材を介して第１パーツ５４と第２パーツ５５および第３パーツ５６とを着脱可能に取り付けると、図１７に示すように、第２パーツ５５および第３パーツ５６が第１パーツ５４に縫製されているかのような自然の仕上がりを実現することができる。しかも、第１パーツ５４の内側に裏地（図示せず）を設けて、鉤具５７、引っ掛かり部５８、嵌合止め具５９の嵌合凹部６５、長孔５９を隠すことにより、第１パーツ５４と第２パーツ５５および第３パーツ５６とがさらに自然の縫製仕上がりを実現することができる。
【実施例１０】
【０１０３】
図２１および図２２は、この発明にかかる組立式バッグの実施例１０を示す。図中、図１〜図２０と同符号は、同一のものを示す。
【０１０４】
この実施例１０にかかる組立式バッグ１Ｉは、前記の実施例９にかかる組立式バッグ１Ｈの変形例である。すなわち、この実施例１０にかかる組立式バッグ１Ｉは、前記の実施例９にかかる組立式バッグ１Ｈに対して補強部材６６を使用するものである。
【０１０５】
前記補強部材６６は、第２パーツ５５および第３パーツ５６側の鉤具５７が引っ掛かる第１パーツ５４側の引っ掛かり部５８を補強するものである。前記補強部材６６は、たとえば、金属製、樹脂製、皮製などパーツと同様の素材からなるものである。前記補強部材６６は、前記引っ掛かり部５８を補強できる程度の任意の大きさと任意の形状、たとえば、この例では、前記引っ掛かり部５８および前記第１パーツ５４に設けられている長孔６３を覆い得る程度の大きさの円形形状をなしている。
【０１０６】
前記補強部材６６のほぼ中央には、前記鉤具５７が通る程度の大きさの透孔６７が設けられている。前記透孔６７は、前記補強部材６６がフレキシブル性の素材からなる場合には、実線で示す円形でも良いし、破線で示すように前記長孔６３とほぼ同じ大きさもしくは一回り大きい長孔であっても良い。なお、前記補強部材６６がフレキシブル性のない素材からなる場合には、前記透孔６７としては、破線で示すように前記長孔６３とほぼ同じ大きさもしくは一回り大きい長孔である必要がある。
【０１０７】
前記補強部材６６は、図２１および図２２（Ａ）に示すように、前記第１パーツ５４の内側に着脱可能に取り付けたりあるいは接着や縫製などにより固定したりする。この結果、前記補強部材６６は、前記引っ掛かり部５８および前記長孔６３を覆い、かつ、前記透孔６７は、円形の場合前記長孔６３の一部と合致し、長孔の場合前記長孔６３と合致する。または、前記補強部材６６は、図２２（Ｂ）に示すように、２重構造をなす前記第１パーツ５４の間に接着や縫製などにより固定する。この図２２（Ｂ）に示す場合、前記補強部材６６の前記透孔６７としては、長孔のほうが前記鉤具５７を通し易い。なお、前記補強部材６６がフレキシブル製の素材からなるものであれば、前記透孔６７は、円形でも良い。この結果、前記補強部材６６は、前記引っ掛かり部５８を覆い、すなわち、前記引っ掛かり部５８に対応し、かつ、前記透孔６７は、前記長孔６３と合致する。
【０１０８】
この実施例１０にかかる組立式バッグ１Ｉは、以上のごとき構成からなるので、第１パーツ５４側の引っ掛かり部５８を補強することができる。このために、この実施例１０にかかる組立式バッグ１Ｉは、第２パーツ５５および第３パーツ５６側の鉤具５７が第１パーツ５４側の引っ掛かり部５８およびこの補強部材６６に引っ掛かった状態で使用されるので、第１パーツ５４側の引っ掛かり部５８が長い間の使用により弛緩するのを補強部材６６で確実に防ぐことができる。特に、第１パーツ５４が皮製の場合には、有効である。また、第１パーツ５４側の引っ掛かり部５８が補強部材６６により補強されることにより、鉤具５７が引っ掛かり部５８および補強部材６６に安定した状態で引っ掛かるので、組立式バッグ１Ｉを不具合なく使用することができる。
【０１０９】
なお、前記の実施例９、１０において、鉤具５７、引っ掛かり部５８、嵌合止め具５９の個数や設ける箇所などは、特に限定しない。また、前記の実施例９、１０において、パーツとして、バッグ本体を形成する第１パーツ５４と、２つの取手（ハンドル）の第２パーツ５５および第３パーツ５６と、であるが、この発明においては、パーツとして、前記の実施例１、２、３、４、５、６、７、８のパーツを適宜に組み合わせて使用しても良い。さらに、前記長孔６３の縁特に引っ掛かり部５８を補強する手段として、前記補強部材６６以外に、たとえば、前記長孔６３の縁を縫製したり、あるいは、前記長孔６３の縁に加締めタイプの金具（いわゆる、ハトメ）などのあらゆるタイプの金具を使用したりしても良い。
【実施例１１】
【０１１０】
図１７〜図２２は、この発明にかかる組立式バッグの実施例１１を示す。図中、図１〜図１６と同符号は、同一のものを示す。
【０１１１】
この実施例１１にかかる組立式バッグ１Ｊは、図２３に示すように、バッグ本体の第１パーツ６９と、左側襠の第２パーツ７０と、右側襠の第３パーツ７１と、２つの取手の第４パーツ５５および第５パーツ５６と、から構成されている。前記第１パーツ６９は、長方形をなす。一方の前記第２パーツ７０および前記第３パーツ７１は、一短辺の左右両角部が切除されたほぼ長方形をなす。前記第４パーツ５５および前記第５パーツ５６は、前記の実施例９、１０の２つの取手（ハンドル）の第２パーツ５５および第３パーツ５６を使用する。前記第１パーツ６９および前記第２パーツ７０、７１は、バッグの本体部を構成する。また、前記第４パーツ５５および前記第５パーツ５６は、取手を構成する。
【０１１２】
前記パーツ５５、５６、６９、７０、７１は、前記の実施例１〜１０のパーツと同様に、バッグの素材となり得る部材、たとえば、天然皮革、合成皮革、転写プリント素材、生地、フェルト、麻などの天然繊維、合成繊維、天然樹脂、合成樹脂、金属、木、などからなり、特に、フレキシブル部材が好ましい。また、前記パーツ６９、７０、７１は、表裏両面７２、７３、７４、７５、７６、７７を使用することが可能である。すなわち、前記パーツ６９、７０、７１は、リバーシブル構造となっている。また、前記パーツ６９、７０、７１の表裏両面７２、７３、７４、７５、７６、７７を、色およびまたは素材を変えてある。
【０１１３】
また、前記組立式バッグ１Ｊは、前記パーツ５５、５６、６９、７０、７１を相互に着脱可能に取り付ける取付部材を備える。すなわち、前記第１パーツ６９と前記第２パーツ７０および第３パーツ７１とを相互に着脱可能に取り付ける取付部材は、前記の実施例９、１０の嵌合止め具５９を使用する。たとえば、前記第１パーツ６９の表面７２側の２長辺に複数個の嵌合凸部６４を取り付ける。一方、前記第２パーツ７０および前記第３パーツ７１の表面７３および７４側の２長辺および両角部が切除された１短辺に複数個の嵌合凹部６５を前記嵌合凸部６４にそれぞれ対応して取り付ける。
【０１１４】
前記第１パーツ６９の嵌合凸部６４の間隔と前記第２パーツ７０の嵌合凹部６５の間隔および前記第３パーツ７１の嵌合凹部６５の間隔とは、ほぼ一致している。また、前記第１パーツ６９の左側の長辺の嵌合凸部６４と右側の長辺の嵌合凸部６４とは、左右対称である。また、前記第２パーツ７０の嵌合凹部６５と前記第３パーツ７１の嵌合凹部６５とは、左右対称である。この結果、前記第１パーツ６９および前記第２パーツ７０および前記第３パーツ７１をリバーシブルに使用することができる。
【０１１５】
また、前記第１パーツ６９と前記第４パーツ５５および第５パーツ５６とを相互に着脱可能に取り付ける取付部材は、前記の実施例９、１０の鉤具５７および引っ掛かり部および嵌合止め具５９を使用する。
【０１１６】
前記第１パーツ６９は、正面部と底面部と背面部とが１枚もので構成されている。ところが、前記第１パーツ６９の正面部と底面部と背面部とをそれぞれ別個にした３枚ものを縫製して１枚ものにしても良い。
【０１１７】
前記第１パーツ６９の底面部に対応する部分には、変形防止部材７８が設けられている。前記変形防止部材７８は、補強部材であって、プラスチックや木材や皮や金属などの合成を有する部材を使用する。この例の前記変形防止部材７８は、長方形状をなしていて、図２５（Ａ）に示すように、前記第１パーツ６９の表地と裏地との間に、接着剤や縫製や打ち込みなどにより固定されている。また、前記変形防止部材７８は、図２５（Ｂ）に示すように、前記第１パーツ６９の表面または裏面に固定されていたり、図２５（Ｃ）に示すように、複数個に分割されていて前記第１パーツ６９の表面または裏面に固定されていたりしても良い。
【０１１８】
この実施例１１にかかる組立式バッグ１Ｊは、以上のごとき構成からなり、以下、その作用について説明する。
【０１１９】
まず、第１パーツ６９に第４パーツ５５および第５パーツ５６を取付部材の鉤具５７および引っ掛かり部および嵌合止め具５９により取り付ける。この第１パーツ６９の裏面７５を外側（表面７２を内側）にしてこの第１パーツ６９を縦長のほぼ長方形に折り曲げる。また、ほぼ長方形をなす第２パーツ７０および第３パーツ７１の裏面７６、７７を外側（表面７３、７４を内側）にしてこの第２パーツ７０および第３パーツ７１の２長辺および両角部が切除された１短辺を裏面７６、７７側に折り曲げる。この折り曲げた第２パーツ７０および第３パーツ７１の２長辺および両角部が切除された１短辺を第１パーツ６９の内側に位置させる。
【０１２０】
第１パーツ６９側の嵌合凸部６４と第２パーツ７０側の嵌合凹部６５および第３パーツ７１側の嵌合凹部６５とをそれぞれ嵌合させる。この結果、第１パーツ６９側の嵌合凸部６４と第２パーツ７０側の嵌合凹部６５および第３パーツ７１側の嵌合凹部６５とが結合されて、第１パーツ６９と第２パーツ７０および第３パーツ７１とが相互に取り付けられて、図２６（Ａ）および図２８（Ａ）に示すように、組立式バッグ１Ｊが完成する。
【０１２１】
また、図２６（Ｂ）中の矢印に示すように、第１パーツ６９側の嵌合凸部６４と第２パーツ７０側の嵌合凹部６５および第３パーツ７１側の嵌合凹部６５とをそれぞれ外して、第２パーツ７０および第３パーツ７１を反転させる。すなわち、第２パーツ７０および第３パーツ７１の表面７３、７４を外側（裏面７６、７７を内側）にして、第２パーツ７０および第３パーツ７１の折り曲げた２長辺および両角部が切除された１短辺を第１パーツ６９の内側に位置させる。そして、裏面７５が外側の第１パーツ６９側の嵌合凸部６４と第２パーツ７０側の嵌合凹部６５および第３パーツ７１側の嵌合凹部６５とをそれぞれ嵌合させることにより、図２６（Ｃ）および図２８（Ｂ）に示すように、組立式バッグ１Ｊが完成する。なお、第２パーツ７０および第３パーツ７１を反転させずに、そのまま、第２パーツ７０を第１パーツ６９の右側に取り付け、第３パーツ７１を第１パーツ６９の左側に取り付けることにより、第２パーツ７０および第３パーツ７１の表面７３、７４を外側（裏面７６、７７を内側）にすることができる。
【０１２２】
さらに、第１パーツ６９の表面７２を外側（裏面７５を内側）にしてかつ第２パーツ７０および第３パーツ７１の裏面７６、７７を外側（表面７３、７４を内側）にする。この第２パーツ７０および第３パーツ７１の２長辺および両角部が切除された１短辺を表面７３、７４側に折り曲げてかつ第１パーツ６９の外側に位置させる。そして、第１パーツ６９側の嵌合凸部６４と第２パーツ７０側の嵌合凹部６５および第３パーツ７１側の嵌合凹部６５とをそれぞれ嵌合させることにより、図２７（Ａ）および図２８（Ｃ）に示すように、組立式バッグ１Ｊが完成する。
【０１２３】
さらにまた、第１パーツ６９の表面７２を外側（裏面７５を内側）にしてかつ第２パーツ７０および第３パーツ７１の表面７３、７４を外側（裏面７６、７７を内側）にする。この第２パーツ７０および第３パーツ７１の２長辺および両角部が切除された１短辺を裏面７６、７７側に２重に折り曲げてかつ第１パーツ６９の外側に位置させる。そして、第１パーツ６９側の嵌合凸部６４と第２パーツ７０側の嵌合凹部６５および第３パーツ７１側の嵌合凹部６５とをそれぞれ嵌合させることにより、図２７（Ｂ）および図２８（Ｄ）に示すように、組立式バッグ１Ｊが完成する。
【０１２４】
この実施例１１にかかる組立式バッグ１Ｊは、以上のごとき構成および作用からなるので、前記の実施例１、３〜１０にかかる組立式バッグ１、１Ｂ〜１Ｉとほぼ同様の効果を達成することができる。また、第１パーツ６９または第２パーツ７０および第３パーツ７１のうち少なくともいずれか一方に裏地を設けることにより、前記の第２実施例と同様の作用効果を達成することができる。
【０１２５】
また、この実施例１１にかかる組立式バッグ１Ｊは、第１パーツ６９の底面部に対応する部分に変形防止部材７８を設けるものである。このために、この実施例１１にかかる組立式バッグ１Ｊは、組み立てた後に荷物を収納した際に、荷物の重さで第１パーツ６９の底面部が変形するのを変形防止部材７８で防止することができる。この結果、この実施例１１にかかる組立式バッグ１Ｊは、荷物の重さで第１パーツ６９の底面部が変形することにより、第１パーツ６９側の嵌合凸部６４と第２パーツ７０側の嵌合凹部６５および第３パーツ７１側の嵌合凹部６５とが不意に外れることを確実に防止することができる。
【０１２６】
なお、この実施例１１においては、第１パーツ６９の底面部に対応する部分に変形防止部材７８を設けるものである。ところが、この発明においては、第１パーツ６９の全体に、またはおよび第２パーツ７０および第３パーツ７１に変形防止部材を設けても良い。
【０１２７】
なお、この発明おいては、前記の実施例１、２、３、４、５、６、７、８、９、１０、１１以外のバッグ類全般、たとえば、その他、財布、ティッシュケース、小物入れ、などの小型のものにも適用することができる。すなわち、あらゆる用途の２パーツ以上で構成可能な袋状のものに適用することができる。
【０１２８】
また、パーツの取付部材としては、前記の実施例１、２、３、４、５、６、７、８、９、１０、１１以外の取付部材、たとえば、磁石、面ファスナ、ギボシ、紐類など、その他のものを使用してもよい。また、あらゆる素材や形状や機能のファスナ、あらゆる素材や形状や機能のホック（嵌合止め具）を使用しても良い。
【０１２９】
さらに、取付部材としてのスライドファスナ１９において、スライド本体２９から持ち手３０を着脱可能な構造としてもよい。また、持ち手３０がないスライダ２０を使用してもよい。この場合、フックなどの道具を使用してスライド本体２９をスライドしてスライドファスナ１９を開閉するものである。
【図面の簡単な説明】
【０１３０】
【図１】この発明にかかる組立式バッグの実施例１を示す展開図である。
【図２】同じく、組立途中の組立式バッグを示す斜視図である。
【図３】同じく、組立完了の組立式バッグを示す斜視図である。
【図４】同じく、パーツの表裏を変えて組み立てた組立式バッグを示す説明図である。
【図５】同じく、パーツを変えて組立途中の組立式バッグを示す斜視図である。
【図６】同じく、パーツを変えて組立完了の組立式バッグを示す斜視図である。
【図７】この発明にかかる組立式バッグの実施例２を示す要部の説明図である。
【図８】同じく、組立完了の組立式バッグの一部を示す斜視図である。
【図９】この発明にかかる組立式バッグの実施例３を示す分解斜視図である。
【図１０】同じく、組立完了の組立式バッグを示す斜視図である。
【図１１】この発明にかかる組立式バッグの実施例４を示す展開図である。
【図１２】同じく、組立完了の組立式バッグを示す斜視図である。
【図１３】この発明にかかる組立式バッグの実施例５を示す組立完了の組立式バッグの斜視図である。
【図１４】この発明にかかる組立式バッグの実施例６を示す説明図である。
【図１５】この発明にかかる組立式バッグの実施例７を示す説明図である。
【図１６】この発明にかかる組立式バッグの実施例８を示す説明図である。
【図１７】この発明にかかる組立式バッグの実施例９を示す組立完了の組立式バッグの斜視図である。
【図１８】同じく、組立途中の要部を示す一部斜視図である。
【図１９】同じく、組立途中の要部を示す一部縦断面である。
【図２０】同じく、組立手順を示す要部の一部縦断面である。
【図２１】この発明にかかる組立式バッグの実施例１０を示す要部の一部背面図である。
【図２２】同じく、要部を示す一部縦断面図である。
【図２３】この発明にかかる組立式バッグの実施例１１を示す展開図である。
【図２４】同じく、組立途中の要部を示す一部縦断面図である。
【図２５】同じく、変形防止部材を示す一部縦断面図である。
【図２６】同じく、組立完了の組立式バッグおよび第２パーツおよび第３パーツの表裏を変えて組み立てた組立式バッグを示す斜視図である。
【図２７】同じく、第１パーツの表裏を変えて組み立てた組立式バッグおよび第１パーツおよび第２パーツおよび第３パーツの表裏を変えて組み立てた組立式バッグを示す斜視図である。
【図２８】同じく、組立完了の組立式バッグを示す平面図である。
【符号の説明】
【０１３１】
１、１Ａ、１Ｂ、１Ｃ、１Ｄ、１Ｅ、１Ｆ、１Ｇ、１Ｈ、１Ｉ、１Ｊ  組立式バッグ
２、３、４、５、６、７、８、２７、２８、３３、３４、３５、３８、３９、４０、４１、４２、４３、４４、４５、４６、４７、４８、４９、５０、５１、５２、５４、５５、５６、６９、７０、７１  パーツ
９、１１、１３、１５、１７、３７、７２、７３、７４  表面
１０、１２、１４、１６、７５、７６、７７  裏面
１９  スライドファスナ（取付部材）
２０、２０１、２０２  スライダ
２１、２１１、２１２  ストッパ
２２  一方のスライドファスナ
２３、２３１、２３２  ジョイント部
２４、２４１、２４２  ストッパ
２５  他方のスライドファスナ
２６  止め具
２９  スライド本体
３０  持ち手
３１、３２  裏地
３６  ポケット部
５３  開閉口
５７  鉤具（取付部材）
５８  引っ掛かり部（取付部材）
５９  嵌合止め具（取付部材）
６０  固定部
６１  中間部
６２  先端部
６３  長孔
６４  嵌合凸部
６５  嵌合凹部
６６  補強部材
６７  透孔
６８、６８１、６８２  ジョイントストッパ
７８  変形防止部材
Ｔ  ずれ寸法
Ｈ  距離
【図１】
2006314773.tif 000003
【図２】
2006314773.tif 000004
【図３】
2006314773.tif 000005
【図４】
2006314773.tif 000006
【図５】
2006314773.tif 000007
【図６】
2006314773.tif 000008
【図７】
2006314773.tif 000009
【図８】
2006314773.tif 000010
【図９】
2006314773.tif 000011
【図１０】
2006314773.tif 000012
【図１１】
2006314773.tif 000013
【図１２】
2006314773.tif 000014
【図１３】
2006314773.tif 000015
【図１４】
2006314773.tif 000016
【図１５】
2006314773.tif 000017
【図１６】
2006314773.tif 000018
【図１７】
2006314773.tif 000019
【図１８】
2006314773.tif 000020
【図１９】
2006314773.tif 000021
【図２０】
2006314773.tif 000022
【図２１】
2006314773.tif 000023
【図２２】
2006314773.tif 000024
【図２３】
2006314773.tif 000025
【図２４】
2006314773.tif 000026
【図２５】
2006314773.tif 000027
【図２６】
2006314773.tif 000028
【図２７】
2006314773.tif 000029
【図２８】
2006314773.tif 000030